(57)【要約】【課題】  ２つの箱体１ａ、１ｂを分離する場合でも連結したままでも、箱体１ａ、１ｂの中に商品を収納したまま、その箱体の上部を容易に切断して除去し、梱包用から展示用に転用することを可能とする。【解決手段】  包装用箱は、側パネル４１、４１及びその両側に連なる両端フラップ５１１、５１２または他方の側パネル４２、４２及びその両側に連なる両端フラツプ５２１、５２２とにわたって中央部で低くなるように傾斜させて上下切断線８１、８２を設けた同じ形状の２つの箱体１ａ、１ｂを、その一方の側パネル４２、４２で連結固定する。これら箱体１ａ、１ｂは、それらの上面を覆う蓋パネル２６及びこれに隣接しこの箱体１ａ、１ｂの両端面を覆うための蓋接合フラツプ２７１、２７２からなる１枚の蓋体２で固定される。この蓋体２にはその中央に当該蓋体２を両側に分離するため側パネル４２、４２の上辺に沿った切断線２３、２３を設けた。【選択図】      図４
2006168791.tif 000002
【特許請求の範囲】
【請求項１】
底パネル（３）とこれに内折れ線を介して接続した一対の側パネル（４１）、（４２）、この底パネル（３）の両端に内折れ線を介して連なった接合フラップ（７１）、（７２）、この側パネル（４１）、（４２）の上辺である内折れ線を介して連なる天フラツプ（６１）、（６２）、この側パネル（４１）、（４２）の両端に内折れ線を介して連なる端フラップ（５１１）、（５１２）、（５２１）、（５２２）で構成された各内折れ線で折り起こされ組み立てられた箱体（１ａ）、（１ｂ）であって、この側パネル（４１）、（４１）及びその両側に連なる両端フラップ（５１１）、（５１２）または他方の側パネル（４２）、（４２）及びその両側に連なる両端フラツプ（５２１）、（５２２）とにわたって各々側パネル（４２）、（４２）の中央部で低くなるように傾斜させて上下切断線（８１）、（８２）を設けた同じ形状の２つの箱体（１ａ）、（１ｂ）を、その一方の側パネル（４２）、（４２）の外面同士を連結固定した状態で搬送される包装用箱であって、かつこれらの箱体（１ａ）、（１ｂ）は、それらの上面を覆う蓋パネル（２６）及びこれに隣接しこれらの箱体（１ａ）、（１ｂ）の両端面を覆うための蓋接合フラツプ（２７１）、（２７２）で構成する別体の１枚の蓋体（２）により固定され、かつこの蓋体（２）にはその中央に当該蓋体（２）を両側に分離するため、固定された前記側パネル（４２）、（４２）の上辺に沿って切断線（２３）、（２３）を設けたことを特徴とする包装用箱。
【請求項２】
箱体（１ａ）、（１ｂ）と蓋体（２）とは、蓋体（２）の裏面と各箱体（１ａ）、（１ｂ）の外側の側パネル（４１）、（４１）に連なる天フラップ（６１）、（６１）の上面及びこの外側の側パネル（４１）、（４１）に連なる端フラップ（５１１）、（５１２）の外面とにおいて接着固定されていることを特徴とする講求項１記載の包装用箱。
【請求項３】
箱体（１ａ）、（１ｂ）の底パネル（３）、（３）に折線を介して連なる接合フラップ（７１）、（７２）と側パネル（４１）、（４２）に折線を介して連なる両端フラップ（５１１）、（５１２）、（５２１）、（５２２）とは、接合フラップ（７１）、（７２）が外側に位置すると共に、一方の接合フラップ（７１）は端フラップ（５１１）及び（５２１）の両方に、また他方の接合フラップ（７２）は端フラップ（５１２）及び（５２２）の両方にまたがって被さり、かつ各端フラップ（５１１）、（５１２）、（５２１）、（５２２）に形成された上下切断線（８１）、（８２）より下部で互いに接合されていることを特徴とする請求項１または２に記載の包装用箱。
【請求項４】
上下切断線（８１）、（８２）が切れ目の無い接続部（Ｘ）と切れ目である非接続部（Ｙ）とが交互に並んで形成され、接続部（Ｘ）の間隔が不等間隔を含み、箱体を形成するブランクの総合リングフラッシュ（ＲＣ）値が４９７Ｎ〜１５１６Ｎであって、前記上下切断線（８１）、（８２）の中の接続部（Ｘ）の間隔の合計と上下切断線（８１）、（８２）の長さ（Ｌ）との比が２０〜５０％であることを特徴とする請求項１〜３の何れかに記載の包装用箱。
【請求項５】
蓋体（２）の切断線（２３）、（２３）が箱体（１ａ）、（１ｂ）の接合された側パネル（４２）、（４２）の上辺に沿って２本設けられており、この切断線（２３）、（２３）の間の切断帯（２２）の中央部（２４）、（２４）を横切るように切れ目（２８）が設けられ、この切断帯（２２）の中央部（２４）、（２４）に隣接して蓋体（２）にその下に指先を挿入可能な押込みタブ（２５）、（２５）が設けられていることを特徴とする請求項１〜４の何れかに記載の包装用箱。
【発明の詳細な説明】
【技術分野】
【０００１】
本発明は、２つの箱体の片側の側面を連結した状態で搬送される包装用箱であって、商品の物流のための梱包用箱としての機能と、小売店等での商品の個別販売のため、商品を箱体に収納したまま展示することが出来る展示用箱としての機能とを有し、梱包用箱から展示用箱への転用を容易にした包装用箱に関する。
【背景技術】
【０００２】
瓶や缶等の商品の梱包用の包装用箱には、段ボール板のブランクを打ち抜き、折り曲げて作られる、いわゆる段ボール箱が使用される。商品を梱包した包装用箱は、段積みされ、交通手段を利用して生産地から卸、小売等の販売地へ搬送される。従って、このような包装用箱には、商品の梱包用として、商品を収納して保護すると共に、その状態で交通手段による搬送や積み込み、積み降ろし等の荷役に耐えることが出来ることが要請される。
【０００３】
さらにこの種の包装用箱の二次的機能として、小売店等において有る程度まとまった数の商品を包装用箱に収納したまま、展示し、個々の商品を販売するための展示用箱として使用する機能が求められることがある。例えば、１２個、２０個等、流通単位の個数の商品を包装用箱から取り出すことなく、そのまま商品ラベル等が見え、かつ人が個々の商品を取り出し得るように商品を露出させ、その状態で商品の陳列棚や包装用箱を積み上げた場所で商品展示し、販売する機能である。
【０００４】
包装用箱を梱包用から展示用に転用する場合、基本的には箱体の周囲を切断し、箱体の底部近い部分を残して箱体の上部を取り除き、トレイ状の形態とするのが最も一般的である。箱体を切断する手段として従来最も一般的なのが、いわゆるカットテープによる切断手段である。このカットテープは、樹脂製の帯状のテープを箱体の内面に貼り付けておき、このテープを箱体の外側に引くことにより、テープで箱体を形成する段ボール板を切断するものである。このようなカットテープを使用した梱包展示兼用の包装用箱としては、例えば特開２００３−３２７２３９号公報に記載されたものがある。
【０００５】
このようなカットテープによる箱体の切断手段は、箱体を構成する段ボール板を容易に切断出来るという利点がある。他方において、紙製品である段ボールに樹脂製品であるカットテープが組み込まれる結果、包装用箱を紙資源として再利用する場合に、カットテープが紙素材以外の異物として存在することになる。それ故、資源の再利用という観点からは好ましくない。
【０００６】
他方、箱体を構成する段ボール板に断続する切れ目を入れ、その部分で箱体を切断するものもある。切れ目を一列に設けたものの他、２列に設けて箱体を構成する段ボール板を帯状に切断するもの等がある。例えば前者の例としては、特開２００２−５９９２０号公報に記載されたものがある。また後者の例としては、特開２００１−１８９５０号公報に記載されたものがある。
【０００７】
これらのように、包装用箱を、梱包用として生産工場等から出荷し、目的の小売店等に搬送した後、小売店で展示用として転用する場合には、多くの場合に箱体の側壁と端壁にわたって箱体の周囲を切断する必要がある。この包装用箱の転用に当たって、従来の包装用箱では、何れのものも箱体の全周にわたって箱体を構成する段ボール板を切断する動作が必要であり、面倒な動作が要求される。
【０００８】
比較的小形の商品を梱包する包装用箱では、１つの箱単位では取り扱いが非効率的になるため、２つの箱体を連結して取り扱う場合もある。例えば、２つの箱体をその側面で貼り付けて連結して使用する。このような包装用箱では、２枚の側パネルが貼り合わせられた状態となり、その部分で箱体を切断する動作が特に困難であったり、また可能であっても面倒なことが多い。
【０００９】
このような２つの箱体をその側面で貼り付けて連結して使用するものでは、２つの箱体の上面を１枚の蓋体で連結したものが既に使用されている。このような包装用箱では、蓋体の中央に切断線を設けて、２つの箱体を用意に分離出来るようにしたものがある。しかし、箱体を展示用に転用するに当たり、箱体の上部を切断して除去する動作を容易にするようは工夫はなされていない。
【００１０】
【特許文献１】特開２００３−３２７２３９号公報
【特許文献２】特開２００３−１２８０５１号公報
【特許文献３】特開２００３−１１２７２３号公報
【特許文献４】特開２００３−８１２５９号公報
【特許文献５】特開２００２−２７４５３０号公報
【特許文献６】特開２００２−５９９２０号公報
【特許文献７】特開２００１−１８９５０号公報
【特許文献８】特開２００１−８０６３４号公報
【特許文献９】特開２０００−１１８５２５号公報
【特許文献１０】特開平１１−２９２０６４号公報
【発明の開示】
【発明が解決しようとする課題】
【００１１】
本発明は、前記従来の２つの箱体を連結して取り扱う包装用箱であって、梱包用から展示用に転用可能な包装用箱における課題に鑑み、２つの箱体を分離する場合はもちろん、連結したままでも、梱包用から展示用に転用するため、箱体の中に商品を収納したまま、その箱体の上部を容易に切断して除去し、梱包用から展示用に転用することが可能な包装用箱を提供することを目的とする。
【課題を解決するための手段】
【００１２】
本発明では、前記の目的を達成するため、２つの箱体１ａ、１ｂの周囲に切断線８１、８２を設けると共に、２つの箱体１ａ、１ｂを連結し、さらに、別体の１枚の蓋体２で２つの箱体１ａ、１ｂの上面を閉じ、この蓋体２の中央に切断線２３を設け、この切断線２３で蓋体２を両側に分離することにより、２つの箱体１ａ、１ｂを連結したままでも、それらの切断線８１、８２から上部のみを分離可能としたものである。
【００１３】
さらに具体的に説明すると、本発明による包装用箱は、底パネル３とこれに内折れ線を介して接続した一対の側パネル４１、４２、この底パネル３の両端に内折れ線を介して連なる接合フラップ７１、７２、この側パネル４１、４２の上辺である内折れ線を介して連なるる天フラツプ６１、６２、この側パネル４１、４２の両端に内折れ線を介して連なる端フラップ５１１、５１２、５２１、５２２で構成された各内折れ線で折り起こされ組み立てられた箱体１ａ、１ｂであって、この側パネル４１、４１及びその両側に連なる両端フラップ５１１、５１２または他方の側パネル４２、４２及びその両側に連なる両端フラツプ５２１、５２２とにわたって各々に側パネル４２、４２の中央部で低くなるように傾斜させて上下切断線８１、８２を設けた同じ形状の２つの箱体１ａ、１ｂを、それらの一方の側パネル４２、４２の外面同士を連結固定した状態で搬送される包装用箱であって、かつこの箱体１ａ、１ｂは、それらの上面を覆う蓋パネル２６及びこれに隣接しこれらの箱体１ａ、１ｂの両端面を覆うための蓋接合フラツプ２７１、２７２で構成する別体の１枚の蓋体２により固定され、かつこの蓋体２にはその中央に当該蓋体２を両側に分離するため、固定された前記側パネル４２、４２の上辺に沿って切断線２３、２３を設けたものである。
【００１４】
このような本発明による包装用箱では、連結された箱体１ａ、１ｂの上部を１枚の蓋体２で連結した蓋体２に２つの箱体１ａ、１ｂの連結された側パネル４２、４２の上辺に沿って、蓋体２を両側に分離する切断線２３、２３が設けられているため、この切断線２３、２３によって蓋体２をその両側に分離することが出来る。さらに、箱体１ａ、１ｂの他方の側パネル４１、４１を上下切断線８１、８２で切断し、その上下切断線８１、８２より上の部分をその下の部分から分離することが出来る。これにより、箱体１ａ、１ｂの切断線８１、８２より下側部分に商品を収納したまま、その商品の上部を露出した、いわゆる展示の状態とすることが可能である。
【００１５】
またこの包装用箱では、上下切断線８１、８２が側パネル４１、４２の中央部で低くなるように傾斜してていることから、箱体１ａ、１ｂの側パネル４１、４２の前記切断線８１、８２から上の部分を当該切断線８１、８２で切り離すときに、箱体１ａ、１ｂの側パネル４１、４２と端フラップ５１１、５１２、５２１、５２２の折線部分を引き上げて切断線８１、８２に沿って側パネル４１、４２を破断すれば、切断線８１、８２のうち、特にその谷となった位置に最初に破断力が集中する。続いてこの破断力が谷の部分からその両側に分散する。これにより、切断線８１、８２に沿って側パネル４１、４２を容易に無理なく破断することが出来る。また、切断線８１、８２もきれいな破断跡となって残る。またこの時、端フラップ５、５の切断線８、８から下の部分は、底パネル３から起立した接合フラップ７１、７２により連結されているため、互いに分離することが無く、箱体１、１の下部は浅いトレイ状の箱としての形態を維持する。
【００１６】
このような包装用箱においては、箱体１ａ、１ｂと蓋体２とは、この蓋体２の裏面と各箱体１ａ、１ｂの外側の側パネル４１、４１に連なる天フラップ６１、６１の上面及びこの外側の側パネル４１、４１に連なる端フラップ５１１、５１２の外面とにおいて接着固定されている。このため、前記のように箱体１ａ、１ｂの上部を下部切断線８１、８２から切断したときに、蓋体２をその切断線２３、２３でその両側に分離しするのと一緒に、２つの箱体１ａ、１ｂの接着固定されていない外側の側パネル４１、４１を上下切断線８１、８１で切断し、その上下切断線８１、８１より上の部分をその下の部分から分離することが出来る。このとき、連結された２つの箱体１ａ、１ｂの下部を連結した状態のまま、それらの切断線８１、８１で切断し、上部側のみを切り離し、これを蓋体２の分離した両側の部分と一緒に取り外すことが出来る。
【００１７】
さらに、箱体１ａ、１ｂの底パネル３、３の両端側に内折れ線を介して連なった接合フラップ７１、７２と端フラップ５１１、５１２、５２１、５２２とは、接合フラップ７１、７２が外側に位置すると共に、一方の接合フラップ７１は端フラップ５１１及び５２１の両方に、また他方の接合フラップ７２は端フラップ５１２及び５２２の両方にまたがって被さり、かつ各端フラップ５１１、５１２、５２１、５２２に形成された上下切断線８１、８２より下部で互いに接合されている。
【００１８】
さらに、上下切断線８１、８２が切れ目の無い接続部Ｘと切れ目である非接続部Ｙとが交互に並んで形成され、接続部Ｘの間隔が不等間隔を含み、箱体を形成するブランクの総合リングフラッシュ（ＲＣ）値が４９７Ｎ〜１５１６Ｎであって、前記上下切断線８１、８２の中の接続部Ｘの間隔の合計ΣＸと上下切断線８１、８２の長さＬとの比ΣＸ／Ｌが２０〜５０％であるがよい。これにより、後述するようにして、その上下切断線８１、８２を切断するときの切断性、切断した後の商品展示機能、さらには切断する前の耐衝撃性を良好にすることが出来る。
【００１９】
蓋体２の切断線２３、２３を箱体１ａ、１ｂの接合された側パネル４２、４２の上辺に沿って２本設け、この切断線２３、２３の間の切断帯２２の中央部２４、２４を横切るように切れ目２８を設け、この切断帯２２の中央部２４、２４に隣接して蓋体２にその下に指先を挿入可能な押込みタブ２５、２５を設ける。これにより、押込タブ２５、２５から蓋体２の下に指を容易に挿入して切断線２３、２３の 間の切断帯２２の中央部２４、２４を指でつまみ、容易に切断することが出来る。またこの破断帯２２を、その中央部２４、２４の切れ目２８で２つに切断して分離することが出来るので、切断線２３、２３での切断が容易に行える。
【発明の効果】
【００２０】
以上説明した通り、本発明による包装用箱では、２つの箱体１ａ、１ｂが互いに連結して搬送される形態の包装用箱において、連結された２つの箱体１ａ、１ｂを２つに分離する場合はもちろん、２つの箱体１ａ、１ｂを連結したままでも、その切断線８、８から上の部分を切断線８、８から破断して容易に取り除くことが出来る。これにより、２連の箱体１ａ、１ｂをそのまま展示用として転用することが出来る。さらに、このような箱体１ａ、１ｂの上部の除去動作は、蓋体２をその中央の切断線２３、２３から両側に分離するのと同時に実現することが可能であり、簡単な動作で梱包用から展示用に転用することが出来る。
【発明を実施するための最良の形態】
【００２１】
本発明は、周囲に上下切断線８１、８２を有し、互いに連結された２つの箱体１ａ、１ｂと、この箱体１ａ、１ｂの上面を覆うと共に、中央から両側に分離するための切断線２３、２３を有する一枚の蓋体２とを組合せ、前記の目的を達成するものである。
以下、このような本発明の実施例について、図面を参照しながら具体例を挙げて詳細に説明する。
【実施例】
【００２２】
既に述べた通り、本発明による包装用箱は、２つの箱体１ａ、１ｂと１枚の蓋体２とを組み合わせたものである。図１は、箱体１の１個分のブランクの展開図の一例であり、図２は蓋体２のブランクの展開図の一例である。
これら箱体１と蓋体２のブランクは紙製の波状のシートからなる中芯をライナーでラミネートした段ボール板が一般に使用される。段ボール板を図１や図２に実線で示すように打ち抜くと共に、切れ目を入れ、かつ破線で示すように折線を入れることにより、組み立て前のブランクが出来上がる。
【００２３】
まず、図１に示す箱体１のブランクについて説明する。図１に実線で示されているのはブランクの外形線と切れ目である。また、破線で示されているのは折線である。これらの折線は何れも図１の紙面に対して谷折りされる。
折線で四方を囲まれた長方形の底パネル３の長辺の折線から一対の側パネル４１、４２が延設されている。この側パネル４１、４２の長さ、すなわち図１においてその左右の寸法は底パネル３より若干狭い。また、底パネル３の両側の折線から延設された一対の側パネル４１、４２の高さ、すなわち図１においてその上下の寸法は等しい。
【００２４】
底パネル３は、商品を適当な数だけ並べて動かないように配置出来る平面寸法を有している。箱体１の中に仕切りパネル等を挿入する場合は、その仕切りパネルの厚さを見込んだ平面寸法が必要である。側パネル４１、４２は、それらの商品が収まるだけの高さを有する。もし商品が包装用箱の中で段積みされる場合は、側パネルはその商品の段数の高さに見合った高さを必要とする。
【００２５】
この側パネル４１、４２の上辺である折線からは天フラップ６１、６２が延設されている。この天フラップ６１、６２の長さ、すなわち図１においてその左右の寸法は側パネル４１、４２より若干狭い。また、この天フラップ６１、６２の幅、すなわち図１においてその上下の寸法は端フラップ３の幅、すなわち図１においてその上下の寸法の１／２より狭い。
【００２６】
側パネル４１、４２と天フラップ６１、６２との間は折り曲げ可能となっいる、図示の例では、２条の平行な断続する切れ目とクランク状の切断線１０、１０とにより、折り曲げ可能となっている。また、一方の天フラップ６、すなわち図１では上側の天フラップ６には、前記の断続する切れ目から天フラップ６１、６２の中にかけて下に押し込み可能な押込タブ９が設けられている。
【００２７】
この側パネル４１、４２の両側辺からは端フラップ５１１、５１２、５２１、５２２が延設されている。この端フラップ５１１、５１２、５２１、５２２の高さ、すなわち図１においてその上下の寸法は側パネル４１、４２より若干低い。また、この側フラップ６１、６２の幅、すなわち図１においてその左右の寸法は底パネル３の幅、すなわち図１においてその上下の寸法の１／２より若干狭い。
【００２８】
側パネル４１、４２からそれらの両側の端フラップ５１１、５１２、５２１、５２２にわたってそれらの下部に上下切断線８１、８２が形成されている。この上下切断線８１、８２は、図３にも示すように、上下切断線８１、８２は波形状の切れ目の配列により形成されており、その波形の各々の谷の部分が切れ目が無い不連続部となっている。上下切断線８１、８２はいわば山形の切れ目が横に並んだような形状を有する。
【００２９】
より具体的には、側パネル４１、４２と端フラップ５１１、５１２、５２１、５２２に設けられた上下切断線８１、８２が切れ目の無い接続部Ｘと切れ目である非接続部Ｙとが交互に並んで形成され、接続部Ｘの間隔が不等間隔を含む。そして、箱体を形成するブランクの総合リングフラッシュ（ＲＣ）値が４９７Ｎ〜１５１６Ｎであって、前記上下切断線８１、８２の中の接続部Ｘの間隔の合計ΣＸと図１に示す前記上下切断線の長さＬとの比ΣＸ／Ｌが２０〜５０％であるのがよい。具体的には、Ｘが２ｍｍ、２ｍｍ、３ｍｍの順に繰り返すとき、Ｘ／Ｌ＝２２．８％、Ｘが３ｍｍ、３ｍｍ、４ｍｍの順に繰り返すとき、Ｘ／Ｌ＝３３．７％、Ｘが４ｍｍ、４ｍｍ、５ｍｍの順に繰り返すとき、Ｘ／Ｌ＝４２．５％とする。
【００３０】
ブランクの総合リングフラッシュ（ＲＣ）値は、段ボール用ライナの日本工業規格ＪＩＳ  Ｐ３９０２と段ボール用中芯原紙の日本工業規格ＪＩＳ  Ｐ３９０４に従い、ブランクとして使用が予定される段ボール板の値を限定している。Ｃ１６０ｇ×Ｃ１６０ｇ（中芯Ｃ級１１５ｇ）のＢフルートの総合リングフラッシュ（ＲＣ）値の４９７Ｎ（ｎｅｗｔｏｎ）を下限とし、ＡＡ２８０ｇ×ＡＡ２８０ｇ（中芯ＡＡ級２００ｇ）のＡフルートの総合リングフラッシュ（ＲＣ）値の１５１６Ｎ（ｎｅｗｔｏｎ）を上限として設定した。
【００３１】
この上下切断線８１、８２は、箱体１の側面と端面において、その中央部が最も低く、その両側が高くなるような傾斜が与えられている。すなわち、図１から明らかなように、側パネル４１、４２においては、上下切断線８１、８２は側パネル４１、４２の中央部で最も低くなっており、その両側にいくに従って次第に高くなるような傾斜が与えられている。また、端フラップ５１１、５１２、５２１、５２２においては、上下切断線８１、８２は側パネル４１、４２との境界である折線側で最も高く、その先にいくに従って次第に低くなるような傾斜が与えられている。上下切断線８１、８２は側パネル４１、４２と端フラップ５１１、５１２、５２１、５２２との境界で高さが等しい。図３は、側パネル４１、４２における上下切断線８１、８２の中央部分を示している、上下切断線８１、８２の勾配θは３〜７゜程度である。図１と図３に示す例では、上下切断線８１、８２に直線的な傾斜を与えているが、上下切断線８１、８２を湾曲させて、箱体１の側面と端面の中央部で最も低く、その両側が高くなるよな傾斜を設けてもよい。
【００３２】
前記の上下切断線８１、８２を形成する切れ目の形状は、箱体１ａ、１ｂを運搬する時の加重に耐える構造であると同時に、側パネル４１、４２を上下切断線８１、８２より上下に切り離し、箱体１ａ、１ｂの下部を店頭で陳列用ケースとして使用する際に、中に収納されている商品が見やすいように波線とする。この上下切断線８１、８２を形成する切れ目は、断続する波形であるが、その波長が短すぎても長すぎても好ましくない。
【００３３】
上下切断線８１、８２を形成する切れ目の波形の波長がが５ｍｍ以下場合、切断性や商品陳列用のディスプレイ性は良いが、落下時の耐衝撃性劣る。他方、波形の波長が５０ｍｍを超える場合、切断性や商品陳列用のディスプレイ性が悪くなるが、落下時の耐衝撃性は良い。これに対し、波形の波長がが５〜５０ｍｍの場合、切断性、商品陳列用のデイスプレイ性共に良く、さらに落下時の耐衝撃性も実用の範囲に収まる。
【００３４】
上下切断線８１、８２での切断性は、その谷の位置に設けた接続長さも影響する。接続長が同じ長さであると切断線が予定外に移動する可能性があるので各谷に設けた接続部分の長さは、１〜７ｍｍの範囲内で変化させる。例えぱ、２、３、３ｍｍ、１、２、３ｍｍ、３、２、３ｍｍ、１、３、２ｍｍ、１、３、４ｍｍ、１、３、５ｍｍのように少しずつ変え接続長が続き過ぎないように工夫する。この範囲であれば、切断性、商品陳列用のデイスプレイ性、落下時の耐衝撃性全てで実用的となる。それでも接続長の長さは３連続以上させないことが大切である。
【００３５】
底パネル３の両端からは折線を介して接合フラップ７１、７２が延設されている。この接合フラップ７１、７２は、基部である折線部分より先にいくに従って幅が若干狭くなるような台形を呈している。この接合フラップ７１、７２の基部の幅、すなわち底パネル３との境界である折線部分の図１において上下の寸法は、底パネル２の幅より若干狭い。この接合フラップ７１、７２の高さ、すなわち図１において左右の寸法は、前記端フラップ５１１、５１２、５２１、５２２に設けられた上下切断線８１、８２の高さと同等かそれよりやや低くする。
【００３６】
次に、図２により蓋体２のブランクについて説明する。前述した図１と同様に、図２に実線で示されているのはブランクの外形線と切れ目である。また、破線で示されているのは折線である。これらの折線は何れも図２の紙面に対して山折りされる。
この蓋体２は、矩形の蓋パネル２６の両側に折線を介して蓋接合フラップ２７１、２７２を延設したものである。
【００３７】
蓋パネル２６の幅、すなわち図２において左右の寸法は、箱体１のブランクの底パネル３の幅の２倍か或いはそれより若干狭い程度である。また、この蓋パネル２６の長さ、すなわち図２において上下の寸法は、箱体１のブランクの底パネル３の長さにブランクの厚さの２倍を加えた程度である。
【００３８】
蓋接合フラップ２７１、２７２は、基部である折線部分より先にいくに従って幅が若干狭くなるような台形を呈している。この蓋接合フラップ２７１、２７２の基部の幅、すなわち蓋パネル２６との境界である折線部分の図２において左右の寸法は、蓋パネル２６の幅より若干狭い。
【００３９】
蓋パネル２６から蓋接合フラップ２７１、２７２にわたってそれらの中央に２条の切断線２３、２３が設けられ、これら切断線２３、２３の間の部分が切断帯２２となっている。この切断線２３、２３は、「ヘ」字形の切れ目の長い線側を縦に並べ、短い線が内側を向くように並べて形成されている。２条の切断線２３、２３は、蓋体２の縦の中心線に対して対称形である。この２条の切断線２３、２３の間の切断帯２２の幅は、蓋パネル２６の中央で最も狭く、その蓋接合フラップ２７１、２７２との折線に近づくに従って広がっており、蓋接合フラップ２７１、２７２側ではその先端側にいくに従ってさらに広がっている。切断帯２２の中央部２４、２４には、２本の切断線２３、２３にわたって断続的な切れ目２８が設けられており、この切れ目２８により切断帯２２がその長手方向に２分割される。この切れ目２８の両側の一対の切断帯２２の中央部２４、２４に隣接して、指を差し込むための押込タブ２５、２５が設けられている。
【００４０】
次に、この箱体１のブランクと蓋体２のブランクを使用して箱体を組み立てる手順について説明する。図１と図２において、二点鎖線で囲った円や楕円の内側は、ブランクの接合のため、接着剤を塗布する位置を例示している。
まず、図１に示す箱体１について、底パネル３の両側の折線から側パネル４１、４２を９０゜折り起こし対向させる。さらに、この側パネル４１、４２の両側辺の折線で端フラップ５１１、５１２、５２１、５２２を内側、すなわち箱体の端面側に９０゜折り曲げる。また、側パネル４１、４２の上辺の折線で天フラップ６１、６２を内側、すなわち箱体の上面側に９０゜折り曲げる。その後、底パネルの端側の折線から接合フラップ７１、７２を９０゜折り起こし、この内側を図１において二点鎖線の円で囲った部分に塗布した接着剤で端フラップ５１１、５１２、５２１、５２２の上下切断線８１、８２より下側の部分に接着し、連結する。箱体１のブランクは２つ用意し、何れも同じように折り曲げる。これにより、図４に示すように、２つの箱体１ａ、１ｂが組み上がる。
【００４１】
次に、この２つの箱体１ａ、１ｂの天フラップ６１、６２に押込タブ９、９が設けられた側の側パネル４２、４２を互いに合わせ、前記側パネル４２、４２に塗布した接着剤でこれら側パネル４２、４２を互いに接着し、２つの箱体１ａ、１ｂを互いに連結する。図１では、側パネル４２、４２の上下切断線８２、８２より下の部分にのみ二点鎖線の楕円で囲ったように接着剤を塗布して接着するように示してあるが、側パネル４２、４２の上下切断線８２、８２より上の部分を接着しても差し支えない。
【００４２】
なお、図４に示していはいないが、ブランクから箱体１ａ、１ｂを組み立てる途中で、その箱体１ａ、１ｂの中に瓶や缶等の商品を収納する。
次に、図２に示す蓋体２の両側の蓋接合フラップ２７１、２７２を、蓋パネル２６の両側の折線で下方に９０゜折り曲げる。この状態で、前述のようにして組み立て、連結した２つの箱体２、２の上面に蓋パネル２６を被せ、蓋接合フラップ２７１、２７２を箱体１ａ、１ｂの端面に当てる。この蓋パネル２６の幅は連結された箱体１ａ、１ｂの幅の分だけあり、その長さは箱体１ａ、１ｂの長さより僅かに長いため、蓋パネル２６は、２つの箱体１ａ、１ｂの上面を完全に覆う。
【００４３】
この状態で、図２に示すように蓋体２に二点鎖線の楕円で囲った部分に塗布した接着剤で蓋パネル２６を互いに連結された箱体１ａ、１ｂの外側の天フラップ６１、６１に接着する。また、蓋接合フラップ２７１、２７２の切断線２３、２３の外側にある両側部分を箱体１ａ、１ｂの外側の端フラップ５１１、５１２、５２１、５２２の上部に接着する。これにより、蓋体２は、その切断帯２２より外側にある両側部分が箱体１ａ、１ｂの外側の天フラップ６１、６１と端フラップ５１１、５１２、５１１、５１２を介して外側の側パネル４１、４１のみに連結される。他方、箱体１ａ、１ｂの内側の側パネル４２、４２には蓋体２は連結されない。
【００４４】
以上の手順により、図５に示すように、封緘された包装用箱が完成する。この包装用箱の中に商品が梱包された状態で包装用箱が交通機関に積み込まれ、目的の場所に搬送して荷下ろしされる。
次に、商品が梱包された包装用箱が荷下ろしされた後、小売店等で開梱され、展示用として転用する場合の手順について説明する。
【００４５】
まず、蓋体２の蓋パネル２６の切断線２３、２３の中央寄りにある押込タブ２５、２５を図５に矢印で示すように指で押し込み、蓋パネル２６の下に指を差し入れて、切断帯２２の端の部分をつまむ。そのためには、押込タブ２５、２５は、収納した商品の位置を避けるようにして設けるのがよい。そして、この切断帯２２の端の部分から切断帯２２を起こし、切断線２３、２３に沿って切断帯２２を切り離す。これにより、切断帯２２により連なっていた蓋体２の両側の部分が互いに分離される。
【００４６】
次に、蓋体２の２つに分離された両側の部分を図６に矢印で示すように、両外側に開く。前述した通り、蓋体２の分離された両側の部分は、箱体１ａ、１ｂの外側の天フラップ６１、６１と端フラップ５１１、５１２、５１１、５１２のみに接着されていることにより、蓋体２の分離された両側の部分を両外側に開くことにより、箱体１ａ、１ｂの外側の側パネル４１、４１が外側に倒される。このときの力は、上下切断線８１、８１の断続的な切れ目の間の部分に集中し、その部分が破断する。上下切断線８１、８１が破断しにくみ場合でも、側パネル４１、４１の片側を図６に矢印で示すように引き起こすことにより、容易に破断する。
【００４７】
この側パネル４１、４２と端フラップ５１１、５１２、５２１、５２２の上下切断線８１、８２での破断に際しては、箱体１ａ、１ｂの側面及び端面において、それらの中央部で上下切断線８１、８２が低く、その両側で高くなるように勾配が形成されていることにより、側パネル４１、４２と端フラップ５１１、５１２、５２１、５２２の角になる折線部分、側パネル４１、４２の中央部分及び端フラップ５１１、５１２、５２１、５２２の端の部分で上下切断線８１、８２に応力が集中する。このため、まずその部分で破断が開始され、その破断応力が他の部分へと時系列的に移動する。これにより、不整な破断が起こらず、上下切断線８１、８２に沿って容易かつきれいに破断が起こる。
【００４８】
このようにして上下切断線８１、８１で側パネル４１、４１と端フラップ５１１、５１２、５１１、５１２が破断すると、それらの上部がその下の部分から分離されるので、これを蓋体２の両側部分と共に除去すると、図７の状態となる。この図７の状態では、連結された内側の側パネル４２、４２を見せるため、商品は省略してあるが、実際は商品が収納されたままであることは言うまでもない。
【００４９】
次に、この状態から図７に矢印で示すように、残された内側の側パネル４２、４２の端を引き起こし、側パネル４２、４２と端フラップ５２１、５２２、５２１、５２２とを上下切断線８２、８２で破断し、その上側だけを分離し、取り除く。この場合、押込タブ９、９に指を差し込んで２枚の側パネル４２、４２を同時につまんで力を入れると側パネル４２、４２に力を加えやすく、容易に破断できる。これにより、箱体１ａ、１ｂの上部のみが完全に取り除かれたトレイ状の箱体１ａ、１ｂとなる。その中に収納した商品は、その上側が露出し、その商品形態やラベルを外から見ることが出来、また箱体１ａ、１ｂの中から個別的に容易に取り出すことが出来る。すなわち箱体、１ａ、１ｂは展示用となり得る。
【００５０】
側パネル４１、４２と端フラップ５１１、５１２、５２１、５２２の上側だけを分離し、取り除いただけでは、箱体１ａ、１ｂはなお連結されており、２連の箱として展示用に転用される。この状態から図８に示すように、連結された箱体１ａ、１ｂを分離し、単体の箱体として展示用に使用してもよい。図８では、二点鎖線で商品ａを図示してある。内側の側パネル４１、４２と端フラップ５１１、５１２、５２１、５２２とを上下切断線８１、８２で破断することは、２つの箱体１ａ、１ｂを分離する前と後の何れでも可能である。前者の場合は、２組の側パネル４１、４２と端フラップ５１１、５１２、５２１、５２２とを上下切断線８１、８２で同時に破断することになり、後者の場合は、それぞれ別々に破断する。
【００５１】
なお、以上の実施例の説明において、箱体の側面と端面は、箱体の上面と底面を除く４面を対向する２組ずつの面に区分して説明するためのもので、箱体の絶対的な位置関係を意味するものではない。それ故例えば、「側パネル」を「端パネル」と言い換え、「端フラップ」を「側フラップ」と言い換えることもできることはもちろんである。
【図面の簡単な説明】
【００５２】
【図１】本発明の一実施例による包装用箱を組み立てる前の箱体のブランクを示す展開図である。
【図２】同実施例による包装用箱を組み立てる前の蓋体のブランクを示す展開図である。
【図３】同実施例による包装用箱の箱体の側パネルの切断線の部分を示す拡大側面図である。
【図４】同実施例による包装用箱の２つの箱体と蓋体とを分解して示した組立途中の斜視図である。
【図５】同実施例による包装用箱の組立が完了した状態を示す斜視図である。
【図６】同実施例による包装用箱の蓋体の中央の切断体を切断して分離し、さらにその蓋体の両側を開く状態を示す斜視図である。
【図７】同の実施例による包装用箱の蓋体と箱体の外側の半分上部を除去した状態を商品を省略して示した斜視図である。
【図８】同実施例による包装用箱の箱体の上部を除去した状態を商品を二点鎖線で示した斜視図である。
【符号の説明】
【００５３】
１ａ    箱体
１ｂ    箱体
２      蓋体
３      底パネル
２６    蓋パネル
２３    蓋体の切断線
２２    蓋体の切断帯
２４    切断帯の中央部
２５    タブ
４１    側パネル
４１    側パネル
６１    天フラツプ
６２    天フラツプ
７１    接合フラップ
７２    接合フラップ
８１    上下切断線
８２    上下切断線
５１１  端フラップ
５１２  端フラップ
５２１  端フラップ
５２２  端フラップ
Ｘ      上限切断線の接続部とその間隔
Ｙ      上限切断線の非接続部とその間隔
【図１】
2006168791.tif 000003
【図２】
2006168791.tif 000004
【図３】
2006168791.tif 000005
【図４】
2006168791.tif 000006
【図５】
2006168791.tif 000007
【図６】
2006168791.tif 000008
【図７】
2006168791.tif 000009
【図８】
2006168791.tif 000010